(57)【要約】【課題】足の指によるグリップ感と親指渓部への刺激に優れた鼻緒付き中敷を提供する。【解決手段】この鼻緒付き中敷８０は、鼻緒坪部３４のスパイラル状の凹凸と中敷渦部３６の渦状の凹凸とが使用者のグリップ感を向上させるとともに、親指渓部等へ効果的な刺激を与えることができる。また、鼻緒部４０ａ〜４０ｄの凹凸が親指渓部の上部及び甲部側へ効果的な刺激を与えることができる。そして、この鼻緒付き中敷８０は、着用したまま他の履物の着用、履き替えが可能であり、屋外、屋内を問わず鼻緒付き中敷８０を着用したまま生活することが可能となる。これにより、鼻緒坪部３４、中敷渦部３６、鼻緒部４０ａ〜４０ｄの凹凸が親指渓部等を常時刺激することが可能となり、使用者の脳や身体への好ましい影響を効果的に与えることができる。【選択図】図２
2019047940.tif 000002
【特許請求の範囲】
【請求項１】
足裏の少なくとも前部に敷かれ足裏の大きさよりも小さい中敷部と、
前記中敷部から上方に立ち上がり、足の親指と人差し指の股に挿入される鼻緒坪部と、
前記鼻緒坪部の上部に設けられた鼻緒部と、を有する鼻緒付き中敷において、
前記中敷部は前記鼻緒坪部の下端を略中心とした渦状の凹凸で形成される中敷渦部をさらに有し、
前記鼻緒坪部は螺旋状に捻じれた凹凸のスパイラル形状を呈することを特徴とする鼻緒付き中敷。
【請求項２】
中敷渦部が上面視で左巻きの渦状であり、前記鼻緒坪部が上面視で右巻きのスパイラル形状を呈することを特徴とする請求項１記載の鼻緒付き中敷。
【請求項３】
鼻緒部が螺旋状に捻じれたスパイラル形状もしくは渦状の凹凸を有する板状体で構成されることを特徴とする請求項１または請求項２に記載の鼻緒付き中敷。
【請求項４】
鼻緒部が甲側に向けて二股に分かれたＶ字状を呈し、かつ螺旋状に捻じれたスパイラル形状で構成されることを特徴とする請求項１または請求項２に記載の鼻緒付き中敷。
【請求項５】
鼻緒部のスパイラル形状もしくは渦状の凹凸が上面視で右巻きであることを特徴とする請求項３または請求項４に記載の鼻緒付き中敷。
【発明の詳細な説明】
【技術分野】
【０００１】
本発明は、足の親指と人差し指の股に挟んで刺激する鼻緒付き中敷に関するものである。
【背景技術】
【０００２】
古くの日本人は下駄や草履等の履物を利用していた。これら下駄や草履等の履物は足の親指と人差し指の股（以後、この部分を親指渓部と称する）に鼻緒を挟んで保持するため、常に親指渓部が刺激され脳や健康に好ましい影響を与えてきた。しかしながら、現代の西洋靴は足全体を包み込むため鼻緒が存在せず、親指渓部が刺激されることも無い。この点に関し、下記［特許文献１］には、足の５本の指の全ての股に鼻緒を設けた健康履物に関する発明が記載されている。
【０００３】
しかしながら、［特許文献１］に記載の発明は所謂布草履であり屋外での使用は難しく、また全ての外履き用の靴に適用させることも困難である。この問題点に関し、本願発明者らは装着したまま屋外履き、室内履きを履くことができ、常時着用した状態で生活することが可能な鼻緒付き中敷に関する［特許文献２］に記載の考案を行った。
【先行技術文献】
【特許文献】
【０００４】
【特許文献１】特開２００７−２３６８９１号公報
【特許文献２】実用新案登録第３２１０７６０号公報
【発明の概要】
【発明が解決しようとする課題】
【０００５】
ただし［特許文献２］に記載の考案は、グリップ感及び、親指渓部への刺激の面で更なる改善が望まれる。
【０００６】
本発明は上記事情に鑑みてなされたものであり、足の指によるグリップ感と親指渓部への刺激に優れた鼻緒付き中敷の提供を目的とする。
【課題を解決するための手段】
【０００７】
本発明は、
（１）足裏の少なくとも前部に敷かれ足裏の大きさよりも小さい中敷部３０と、前記中敷部３０から上方に立ち上がり、足の親指と人差し指の股に挿入される鼻緒坪部３４と、前記鼻緒坪部３４の上部に設けられた鼻緒部４０ａ〜４０ｄと、を有する鼻緒付き中敷において、
前記中敷部３０は前記鼻緒坪部３４の下端を略中心とした渦状の凹凸で形成される中敷渦部３６をさらに有し、
前記鼻緒坪部３４は螺旋状に捻じれた凹凸のスパイラル形状を呈することを特徴とする鼻緒付き中敷８０を提供することにより、上記課題を解決する。
（２）中敷渦部３６が上面視で左巻きの渦状であり、前記鼻緒坪部３４が上面視で右巻きのスパイラル形状を呈することを特徴とする上記（１）記載の鼻緒付き中敷８０を提供することにより、上記課題を解決する。
（３）鼻緒部４０ａ〜４０ｄが螺旋状に捻じれたスパイラル形状もしくは渦状の凹凸を有する板状体で構成されることを特徴とする上記（１）または（２）に記載の鼻緒付き中敷８０を提供することにより、上記課題を解決する。
（４）鼻緒部４０ａが甲側に向けて二股に分かれたV字状を呈し、かつ螺旋状に捻じれたスパイラル形状で構成されることを特徴とする上記（１）または（２）に記載の鼻緒付き中敷８０を提供することにより、上記課題を解決する。
（５）鼻緒部４０ａ〜４０ｄのスパイラル形状もしくは渦状の凹凸が上面視で右巻きであることを特徴とする上記（３）または（４）に記載の鼻緒付き中敷８０を提供することにより、上記課題を解決する。
【発明の効果】
【０００８】
本発明に係る鼻緒付き中敷は、鼻緒坪部のスパイラル状の凹凸と中敷渦部の渦状の凹凸とが使用者のグリップ感を向上させるとともに、親指渓部等へさらなる効果的な刺激を与えることができる。
【図面の簡単な説明】
【０００９】
【図１】本発明に係る鼻緒付き中敷を示す図である。
【図２】本発明に係る鼻緒付き中敷の着用状態を示す図である。
【図３】本発明に係る鼻緒付き中敷の他の例を示す図である。
【図４】本発明に係る鼻緒付き中敷の他の例を示す図である。
【図５】本発明に係る鼻緒付き中敷の他の例を示す図である。
【発明を実施するための形態】
【００１０】
本発明に係る鼻緒付き中敷の実施の形態について図面に基づいて説明する。ここで、図１（ａ）はＶ字状の鼻緒部４０ａを備えた本発明に係る鼻緒付き中敷８０の前面図であり、図１（ｂ）は上面図であり、図１（ｃ）は側面図であり、図１（ｄ）は背面図である。また、図２は本発明に係る鼻緒付き中敷８０の着用状態を示す図である。また、図３（ａ）〜図５（ａ）は鼻緒部の他の例を示す側面図であり、図３（ｂ）〜図５（ｂ）は上面図である。
【００１１】
本発明に係る鼻緒付き中敷８０は、略平坦な板状の中敷部３０と、この中敷部３０から上方に立ち上がる鼻緒坪部３４と、この鼻緒坪部３４の上部に設けられた鼻緒部４０ａ〜４０ｄと、を有している。尚、鼻緒付き中敷８０の材質に関してはシリコンゴム等の比較的柔軟な合成樹脂を用いることが最も好ましいが、これに限定されるわけでは無く、プラスチック等の硬質な合成樹脂の他、麻や布紐、その他の素材を用いることができる。また、複数の素材を組み合わせて構成することもできる。
【００１２】
また、中敷部３０は人間の足裏の少なくとも前部に敷かれるものであり、人間の足の親指渓部の周囲を網羅していれば如何なる形状でも構わない。中でも図２に示すように、母子球と指尖球の人差指側を含む足の前部を網羅することが特に好ましい。また、中敷部３０は一般的な人間の足裏の大きさよりも小さくし、基本的に足裏面より外側に大きく突出しないサイズとする。これにより、鼻緒付き中敷８０を装着したままで他の履物の着用が可能となる。尚、鼻緒付き中敷８０にシリコンゴム等の柔軟な材料を用いた場合には、ユーザが自分の足のサイズや着用する履物等に合わせて適宜切断するようにしても良い。また、中敷部３０は左足用、右足用を別々に形成しても良いが、本例に示すように左右対称として、左右兼用とすることが製造効率の面から好ましい。
【００１３】
また、中敷部３０の上面には外周線と略合同な曲溝線３２ａと、格子状の直溝線３２ｂとを例えば凹条で形成することが好ましい。この構成によれば、曲溝線３２ａ、直溝線３２ｂが滑り止めの機能を果たすとともに、前述のサイズ調整の際のキリトリ線もしくは切断時の簡易的な目盛として使用することができる。さらに、中敷部３０の下面には例えば曲溝線３２ａ、直溝線３２ｂと同様な凸条を形成し、滑り止めとしても良い。
【００１４】
そして、中敷部３０には本発明の特徴的な構成として、鼻緒坪部３４の下端を略中心とした渦状の中敷渦部３６を有している。この中敷渦部３６は渦状の凹凸で形成されるとともに、鼻緒坪部３４に繋がる中心部分が若干盛り上がり、且つ前後に長い略楕円錐形状を呈している。そして、この中敷渦部３６は滑り止めとして機能し足指によるグリップ感を向上させるとともに、歩行時等に親指渓部下の足裏部分を押圧し刺激する。
【００１５】
また、中敷渦部３６の略中心から伸びる鼻緒坪部３４は使用者の足の親指と人差し指との股（親指渓部）に挿入され、ここを刺激するものであり、親指と人差し指の股に沿うように若干後方に傾けて形成することが好ましい。また、鼻緒坪部３４の径は使用者が鼻緒坪部３４の存在を意識できる太さとすることが好ましい。さらに、本発明に係る鼻緒付き中敷８０は、その特徴的な構成として鼻緒坪部３４が螺旋状に捻じれた凹凸のスパイラル形状を呈している。そして、この鼻緒坪部３４の凹凸は足の親指と人差し指とのグリップ感を向上させることに加え、スパイラル状の凹凸が親指渓部への刺激をさらに増大させる。
【００１６】
また、この鼻緒坪部３４の上部には前述のように鼻緒部４０ａ〜４０ｄが設けられる。そして、この鼻緒部４０ａ〜４０ｄは鼻緒付き中敷８０が親指渓部から抜け落ちるのを防止する機能を有する。
【００１７】
ここで、第１の形態の鼻緒部４０ａは、図１、図２に示すように甲側に向けて二股に分かれたＶ字状を呈している。この構成によれば鼻緒部４０ａが下駄や草履の鼻緒を連想させる優れたデザイン性を有するとともに、屋内等で素足に装着しても外見上の違和感を軽減することができる。尚、二股に分かれた鼻緒部４０ａはそれぞれが螺旋状に捻じれた凹凸のスパイラル形状で構成することが好ましい。この構成によれば、鼻緒部４０ａの凹凸が親指渓部の上部を適度に押圧し、ここを刺激する。また、鼻緒付き中敷８０を装着した上で履物を履いた時に、鼻緒部４０ａが履物の甲部によって押圧され親指渓部の甲側を刺激する。
【００１８】
また、第２の形態の鼻緒部４０ｂは、図３に示すように板状体を呈している。尚、図３では鼻緒部４０ｂの形状を円形としたが、鼻緒部４０ｂの形状は特にこれに限定されるわけではなく、星形や、ハート、スペード、クラブ、ダイヤ等、如何なる形状としても良い。そして、板状体の鼻緒部４０ｂの下側には鼻緒坪部３４の上端を略中心とした渦状の凹凸４４を設けることが好ましい。この構成によれば、凹凸４４が足指のグリップ感をさらに向上させるとともに、歩行時等に親指渓部の上部表面側を刺激することができる。尚、鼻緒部４０ｂでは表面側に凹凸等で渦模様を形成しても良い。
【００１９】
また、第３の形態の鼻緒部４０ｃは、図４に示すように、鼻緒坪部３４の上端から足の甲側に向けて延びた形状を呈している。尚、鼻緒部４０ｃも螺旋状に捻じれた凹凸のスパイラル形状で構成することが好ましい。この構成によれば、鼻緒部４０ｃのスパイラル状の凹凸が親指渓部の上部を適度に押圧し、ここを刺激する。また、鼻緒付き中敷８０を装着した上で履物を履いた時に、鼻緒部４０ｃが履物の甲部によって押圧されスパイラル状の凹凸が親指と人差し指の中足骨の間を押圧刺激する。
【００２０】
また、第４の形態の鼻緒部４０ｄは、図５に示すように、鼻緒部４０ｄが平均的な人間の太衝近傍にまで延び、その先端部分に太衝近傍を押圧するツボ押し部４２を有している。ここで、太衝とは足の親指と人差し指の中足骨の後端で接合部の前に位置するツボである。そして、鼻緒部４０ｄの本体部分は螺旋状に捻じれた凹凸のスパイラル形状で構成することが好ましい。この構成によれば、鼻緒部４０ｄのスパイラル状の凹凸が親指渓部の上部を適度に押圧し、ここを刺激する。また、鼻緒付き中敷８０を装着した上で履物を履いた時に、鼻緒部４０ｄが履物の甲部によって押圧されスパイラル状の凹凸が親指と人差し指の中足骨の間を押圧刺激するとともに、ツボ押し部４２が太衝近傍を押圧刺激する。尚、この第４の形態の鼻緒部４０ｄを備えた鼻緒付き中敷８０では、例えば全体を硬質な合成樹脂等で形成し、鼻緒部４０ｄの弾性力によって使用者の太衝にツボ押し部４２を常時押圧するようにしても良い。
【００２１】
尚、中敷渦部３６は上面視で左巻き（外側から内側に上面視で反時計回りに回る方向）の渦状とし、鼻緒坪部３４は上面視で右巻き（下方から上方に上面視で時計回りで登る方向）のスパイラル形状とすることが好ましい。また、鼻緒部４０ａ、４０ｃ、４０ｄ及び鼻緒部４０ｂの凹凸４４、表面側の渦模様も上面視で右巻きとすることが好ましい。尚、日本古来の伝承では、左巻き（上面視で外側から内側に反時計回りに回るもの）の渦が降りて地となり、右巻き（上面視で外側から内側に時計回りで回るもの）の渦が登って天となったと言われている。本発明に係る鼻緒付き中敷８０は、足の下方に位置する中敷渦部３６を左巻きとして地に見立て、中敷渦部３６から延びる鼻緒坪部３４と鼻緒部４０ａ〜４０ｄとを右巻きにして天に見立てている。
【００２２】
また、中敷部３０、鼻緒坪部３４、鼻緒部４０ａ〜４０ｄの所定の位置には適宜、ゲルマニウム、トルマリン、磁石のような人体に好ましい影響を与えるといわれる鉱石や金属等を設置しても良い。また、これらの鉱石や金属を粉末状として本体に練り込んでも良いし、表面にコートしても良い。
【００２３】
次に、本発明に係る鼻緒付き中敷８０の使用方法を説明する。先ず、鼻緒付き中敷８０の中敷部３０を足裏側としながら、図２に示すように、鼻緒坪部３４を使用者の両足の親指と人差し指の間の奥まで差し入れる。尚、鼻緒付き中敷８０の着用は素足で行っても、靴下やストッキングを着用した上から行っても良い。また、鼻緒付き中敷８０を着用した後に、靴下やストッキングを着用するようにしても良い。これにより、鼻緒坪部３４のスパイラル状の凹凸が使用者の親指渓部を刺激する。また、中敷渦部３６の渦状の凹凸が親指渓部の下方を刺激する。
【００２４】
また、本発明に係る鼻緒付き中敷８０は、装着したまま靴等の屋外履やスリッパ等の室内履きを着用可能である。また、鼻緒付き中敷８０を装着したまま履物を履きかえることができる。そしてこの場合、鼻緒部４０ａ〜４０ｄの凹凸により親指渓部の甲側をも刺激することができる。これにより、使用者は屋外、屋内を問わず鼻緒付き中敷８０を着用したまま生活することが可能となる。そして、鼻緒坪部３４、中敷渦部３６、鼻緒部４０ａ〜４０ｄの凹凸による親指渓部等への刺激が常時脳に伝達され、脳の活性化、及び認知症の予防を行うことができる。また、鼻緒坪部３４、中敷渦部３６、鼻緒部４０ａ〜４０ｄの凹凸が親指渓部等のツボを刺激して血行促進や身体への好ましい効果を得ることができる。さらに、親指渓部に鼻緒坪部３４が存在することで、使用者は歩行の際に鼻緒坪部３４を掴むよう動作することとなり、足指の筋力増強と踏ん張り力の向上とを図ることができる。また、歩行の際に鼻緒坪部３４を意識することで転倒の防止を図ることができる。またさらに、鼻緒坪部３４が親指を外側に押圧することで、外反母趾の防止や改善を図ることができる。
【００２５】
以上のように、本発明に係る鼻緒付き中敷８０は、鼻緒坪部３４のスパイラル状の凹凸と中敷渦部３６の渦状の凹凸とが使用者のグリップ感を向上させるとともに、親指渓部等へ効果的な刺激を与えることができる。また、鼻緒部４０ａ〜４０ｄの凹凸が親指渓部の上部及び甲部側へ効果的な刺激を与えることができる。そして、本発明に係る鼻緒付き中敷８０は、着用したまま他の履物の着用、履き替えが可能であり、屋外、屋内を問わず鼻緒付き中敷８０を着用したまま生活することが可能となる。これにより、鼻緒坪部３４、中敷渦部３６、鼻緒部４０ａ〜４０ｄの凹凸が親指渓部等を常時刺激することが可能となり、使用者の脳や身体への好ましい影響を効果的に与えることができる。
【００２６】
尚、上記に示した鼻緒付き中敷８０の各部の形状、寸法、構成、デザイン等は一例であるから、上記の例に限定されるわけでは無く、本発明は本発明の要旨を逸脱しない範囲で変更して実施することが可能である。
【符号の説明】
【００２７】
３０    中敷部
３４    鼻緒坪部
３６    中敷渦部
４０ａ〜４０ｄ    鼻緒部
８０    鼻緒付き中敷
【図１】
2019047940.tif 000003
【図２】
2019047940.tif 000004
【図３】
2019047940.tif 000005
【図４】
2019047940.tif 000006
【図５】
2019047940.tif 000007